(57)【要約】      （修正有）【課題】ケースと便蓋との隙間を著しく小さくすることができ、しかも便蓋回動時における便蓋支持部材の回動領域も小さく、また、ケース内に埃、ゴミ、水などが入り込むこともない便座便蓋装置を提供する。【解決手段】便座便蓋装置は、便座ボックス１と、便座ボックス１に対し連結部材１０によって回動可能に取り付けられた便蓋３と、支軸を介して回動可能に取り付けられた便座等を備えている。連結部材１０は、ベースバー１１、ジョイントリンク１２，１５及び１対のメインリンク１３，１４を備えている。便蓋３が起立回動するときに連結部材１０が伸長する。【選択図】図２
2013043057.tif 000002
【特許請求の範囲】
【請求項１】
便器の後部に設置されるケースと、該ケースに対し起倒方向回動可能に取り付けられた便座及び便蓋とを有した便座便蓋装置であって、
該便蓋は、回動可能な連結部材によって該ケースの外面に連結されている便座便蓋装置において、
該連結部材は、便蓋倒伏状態から起立回動するほど長さが大きくなる応動伸縮機構を有することを特徴とする便座便蓋装置。
【請求項２】
請求項１において、該応動伸縮機構は、長手方向の途中同士が枢軸によって回動可能に連結された第１及び第２のメインリンクを有することを特徴とする便座便蓋装置。
【請求項３】
請求項２において、前記第１のメインリンクの基端部は前記ケースに対し回動可能に連結されており、第２のメインリンクの基端部は、メインリンクよりも長さの短い基端部ジョイントリンクを介して該ケースに連結されており、第１及び第２のメインリンクのうち、
一方のメインリンクの先端部は前記便蓋に対し回動可能に連結されており、他方のメインリンクの先端部は、メインリンクよりも長さの短い先端部ジョイントリンクを介して便蓋に連結されていることを特徴とする便座便蓋装置。
【請求項４】
請求項３において、前記ケースの前面部に上下位置を異ならせて２個の取付座が突設されており、該取付座同士の間にベースバーが架設されており、
前記第１及び第２のメインリンクのうち一方のメインリンクの基端部が上側の取付座に対し回動可能に軸支され、他方のメインリンクの基端部が前記基端部ジョイントリンクの先端側に回動可能に軸支されていることを特徴とする便座便蓋装置。
【発明の詳細な説明】
【技術分野】
【０００１】
本発明は、便器に設置される便座便蓋装置に係り、特にケースと倒伏した便蓋との間に大きな隙間が生じないように構成された便座便蓋装置に関する。
【背景技術】
【０００２】
洋風便器の後部上面に便座ボックスやタンクカバー等のケースを設置し、このケースに便座及び便蓋を起倒方向回動可能に取り付けた便座便蓋装置において、ケースと、倒伏状態の便蓋の後縁との間に大きな隙間が生じることがある。この隙間は、便蓋が起立回動する際にケースに当ることを防止するために設けられている。
【０００３】
この隙間を小さくするように構成した便座便蓋装置として、特許文献１（特開２００５−２４４）の図６，７に、便蓋を回動可能に支持するための部材として、回動軸心線から回動半径方向に延在した延設アーム部と、該延設アーム部から円弧状に延設された円弧アーム部とを有したアーム部材を用いたものが記載されている。
【０００４】
この便座便蓋装置においては、便蓋が起立回動するに際し、便蓋が上方へ持ち上げられながら回動するので、ケースと便蓋との隙間を小さく設定した場合であっても、便蓋がケースに当ることがない。
【先行技術文献】
【特許文献】
【０００５】
【特許文献１】特開２００５−２４４
【発明の概要】
【発明が解決しようとする課題】
【０００６】
上記特許文献１の便座便蓋装置にあっては、便蓋の開放回動時に延設アーム部及び円弧アーム部が回動するため、これらの回動領域内に部材を配置することができず、ケースにデッドスペースが生じたり、設計上の自由度が小さくなったりする。
【０００７】
また、上記特許文献１の便座便蓋装置にあっては、ケース内にアームを配置し、ケース前面部に設けた挿通口を通ってアームがケース前方へ突出する構成となっているため、この挿通口からケース内に埃、ゴミ、水などが入り込むおそれが高い。
【０００８】
本発明は、ケースと便蓋との隙間を著しく小さくすることができ、しかも便蓋回動時における便蓋支持部材の回動領域も小さく、また、ケース内に埃、ゴミ、水などが入り込むこともない便座便蓋装置を提供することを目的とする。
【課題を解決するための手段】
【０００９】
本発明の便座便蓋装置は、便器の後部に設置されるケースと、該ケースに対し起倒方向回動可能に取り付けられた便座及び便蓋とを有した便座便蓋装置であって、該便蓋は、回動可能な連結部材によって該ケースの外面に連結されている便座便蓋装置において、該連結部材は、便蓋倒伏状態から起立回動するほど長さが大きくなる応動伸縮機構を有することを特徴とするものである。
【００１０】
本発明の便座便蓋装置では、該応動伸縮機構は、長手方向の途中同士が枢軸によって回動可能に連結された第１及び第２のメインリンクを有することが好ましい。
【００１１】
また、前記第１のメインリンクの基端部は前記ケースに対し回動可能に連結されており、第２のメインリンクの基端部は、メインリンクよりも長さの短い基端部ジョイントリンクを介して該ケースに連結されており、第１及び第２のメインリンクのうち、一方のメインリンクの先端部は前記便蓋に対し回動可能に連結されており、他方のメインリンクの先端部は、メインリンクよりも長さの短い先端部ジョイントリンクを介して便蓋に連結されていることが好ましい。
【００１２】
また、前記ケースの前面部に上下位置を異ならせて２個の取付座が突設されており、該取付座同士の間にベースバーが架設されており、前記第１及び第２のメインリンクのうち一方のメインリンクの基端部が上側の取付座に対し回動可能に軸支され、他方のメインリンクの基端部が基端部ジョイントリンクの先端側に回動可能に軸支されていることが好ましい。
【発明の効果】
【００１３】
本発明の便座便蓋装置にあっては、便蓋倒伏時には短く、便蓋が起立するほど長くなる応動伸縮機構を有する連結部材を介して便蓋がケースに取り付けられている。便蓋が起立回動するときには、便蓋が上側に回動するに従って連結部材の長さが大きくなるので、便蓋は、上方に持ち上げられながら起立回動する。そのため、ケースと便蓋との隙間を小さく設定しても、便蓋がケースに当たることなく起立回動する。
【００１４】
本発明では、この連結部材をケースの外側に配置するので、埃、ゴミ、水などがケース内に入り込むことが防止される。
【００１５】
本発明では、連結部材の回動領域が上記特許文献１のアームに比べて小さく、ケースの設計上の自由度が大きい。
【図面の簡単な説明】
【００１６】
【図１】実施の形態に係る便座便蓋装置の便蓋起立時の斜視図である。
【図２】便蓋を起立させた状態における図１の便座便蓋装置の要部縦断面図である。
【図３】連結部材の斜視図である。
【図４】図２のIV−IV線断面図である。
【図５】便蓋倒伏時における図２と同一箇所の断面を示すものであり、図６のＶ−Ｖ線断面図である。
【図６】実施の形態に係る便座便蓋装置の便蓋倒伏時の斜視図である。
【発明を実施するための形態】
【００１７】
以下、図１〜６を参照して実施の形態について説明する。
【００１８】
図１，６の通り、この便座便蓋装置は、洋風便器の後部上面に設置される便座ボックス１と、該便座ボックス１に対し連結部材１０によって回動可能に取り付けられた便蓋３と、便座ボックス１に対し回動可能に取り付けられた便座５等を備えている。
【００１９】
便座ボックス１の前部には、前方に膨出する膨出部１ａが設けられている。この膨出部１ａの上面は、それよりも後方側の便座ボックス後部上面１ｒよりも便蓋３の厚み分よりも低位となっている。膨出部１ａの左右（便座５に座った人にとっての左右）の側面１ｂは、膨出部１ａ以外の便座ボックス側面１ｓよりも便座ボックス１の左右方向中央側に引っ込んでいる。膨出部１ａの左右両側には、膨出部側面１ｂ、前向き面１ｃ及び斜め上向き面１ｄで囲まれ、側方、前方及び上方に向って開放する凹所が形成されている。膨出部側面１ｂに便座５が支軸によって起倒回動可能に取り付けられている。支軸の軸心線方向は便器の左右幅方向となっている。
【００２０】
前向き面１ｃには第１の取付座７が前方に向って突設され、斜め上向き面１ｄには第２の取付座８が斜め前方に向って突設されている。取付座７は取付座８よりも高位に位置している。
【００２１】
前記便蓋３の側面３ｓの内面には肉厚部３ａ（図４）が設けられている。
【００２２】
連結部材１０は、基端部すなわち便座ボックス１側が取付座７，８に連結され、先端部すなわち便蓋３側が肉厚部３ａに連結されている。
【００２３】
図２，３に明示される通り、連結部材１０は、ベースバー１１、基端部ジョイントリンク１２、メインリンク１３，１４、先端部ジョイントリンク１５よりなる。該ベースバー１１は、両端部が取り付けピン２１，２２によって取付座８，７に取り付けられ、取付座７，８間に架設されている。ベースバー１１はメインリンク１３，１４と同一長さを有している。
【００２４】
ジョイントリンク１２は、基端部が取り付けピン２３によってベースバー１１の長手方向の中間部に回動可能に連結されている。ジョイントリンク１２の長さはメインリンク１３，１４の半分となっている。
【００２５】
メインリンク１３は、基端部が取付座７に対し取り付けピン２２によって回動可能に連結され、先端部が取り付けピン２６によって先端部ジョイントリンク１５の基端部に回動可能に連結されている。メインリンク１３，１４の長さは同一である。
【００２６】
メインリンク１４は、基端部が取り付けピン２４によって基端部ジョイントリンク１２の先端部に対し回動可能に連結されている。メインリンク１３，１４の長手方向の中間部は取り付けピン２５によって回動可能に連結されている。従って、メインリンク１３，１４は取り付けピン２５によって連結されたＸ字状となっている。メインリンク１４の先端部は、取り付けピン２７によって肉厚部３ａに回動可能に連結されている。
【００２７】
ジョイントリンク１５は、先端部が取り付けピン２８によって肉厚部３ａに回動可能に連結されている。なお、図４の通り、肉厚部３ａにインサート２９が設けられており、取り付けピン２８は該インサート２９に固定されている。図示は省略するが、取り付けピン２７も同様にして固定されている。ジョイントリンク１５の基端部は、前述の通り、取り付けピン２６によってメインリンク１３の先端部に連結されている。ジョイントリンク１５の長さはメインリンク１３，１４の長さの半分である。
【００２８】
取り付けピン２１，２３間、取り付けピン２３，２２間、取り付けピン２３，２４間、取り付けピン２４，２５間、取り付けピン２２，２５間、取り付けピン２５，２６間、取り付けピン２５，２７間、取り付けピン２６，２８間、取り付けピン２７，２８間の距離はすべて同一となっている。従って、ベースバー１１、メインリンク１４及びジョイントリンク１５は平行である。また、取り付けピン２７，２８を結ぶ線分の方向と、メインリンク１３及びジョイントリンク１２にも平行である。
【００２９】
便蓋３が倒伏した図５の状態にあっては、連結部材１０が折り畳まれた状態となり、最上部の取り付けピン２８とベースバー１１の取り付けピン２３との距離が最も小さくなっている。なお、この状態において、便蓋３の上面と便座ボックス１の後部上面１ｒとは面一状となっている。
【００３０】
この状態から便蓋３を起立回動させると、連結部材１０は徐々に伸長しながら上方へ回動し、図２の起立状態となる。この状態では、メインリンク１４とベースバー１１、基端部ジョイントリンク１５同士が当接しており、便蓋３はそれ以上後方へ回動しない。この状態において、便蓋３は若干後傾している。また、図２の通り、便蓋３の後端縁３ｅは便座ボックス後部上面１ｒよりも若干上方に位置している。メインリンク１３は便座ボックス前向き面１ｃよりも前方に位置している。
【００３１】
図６のように、倒伏した便蓋３の後縁３ｅと便座ボックス後部上面１ｒの前縁とは当接するか、又は隙間幅１０ｍｍ以下、特に３ｍｍ以下となるように著しく近接している。
【００３２】
このように構成された便座便蓋装置においては、図６の通り、便蓋３が倒伏した状態において、便蓋３の後縁３ｅと便座ボックス１の後部上面１ｒの前縁との間に隙間が実質的に存在せず、美観が良好であると共に、埃、ゴミなどが隙間に入り込むことが防止される。また、従来例（特許文献１）と異なり、アームを便座ボックス内に引き込まないので、アーム挿通口から便座ボックス内に埃、ゴミ、水などが入り込むこともない。
【００３３】
図６の状態から便蓋３を起立回動させると、連結部材１０は伸長しながら回動するので、便蓋３は便座ボックス１と接触することなく回動する。
【００３４】
この実施の形態では、倒伏状態の便蓋３の後部の側面部３ｓと、便座ボックス側面部１ｓとは面一状であり、美観に優れる。
【００３５】
上記実施の形態は本発明の一例であり、本発明は図示以外の態様とされてもよい。例えば、便座ボックスの代わりにタンクカバーをケースとして用いてもよい。
【符号の説明】
【００３６】
１  便座ボックス
３  便蓋
５  便座
７，８  取付座
１０  連結部材
１１  ベースカバー
１２，１５  ジョイントリンク
１３，１４  メインリンク
【図１】
2013043057.tif 000003
【図２】
2013043057.tif 000004
【図３】
2013043057.tif 000005
【図４】
2013043057.tif 000006
【図５】
2013043057.tif 000007
【図６】
2013043057.tif 000008